(57)【特許請求の範囲】
【請求項１】
足場面を有する足場体と、前記足場体を支持するかごドア桁部とを有する、かごドア装置の保守用足場であって、
前記足場体は、非使用時には、上面視において、前記かごドア桁部から昇降路の内側に突出しない第１の姿勢で、前記かごドア桁部に格納され、
前記足場体は、使用時には、上面視において、前記かごドア桁部から前記昇降路の内側に突出する第２の姿勢で前記かごドア桁部に支持され、
前記足場体は、第２の姿勢で前記かごドア桁部に支持された場合に、前記足場面が、前記かごドア桁部の上面と平行になる、
かごドア装置の保守用足場。
【請求項２】
前記足場体は、前記かごドア桁部に対して着脱可能であり、
前記第１の姿勢と前記第２の姿勢との間で、姿勢を変更する場合には、前記かごドア桁部から取り外されて、姿勢を変更した後に、再度前記かごドア桁部に取付けられる、
請求項１に記載のかごドア装置の保守用足場。
【請求項３】
前記かごドア桁部は、前記かごドア桁部を貫通するスリットを有し、
前記足場体は、前記足場面を有する第１プレートと、
前記足場面の裏面側から、前記第１プレートに対して垂直に延出する第２プレートとを有し、
前記足場体の前記第１の姿勢は、前記第１プレートが前記スリットに挿入されて、
前記第２プレートが前記かごドア桁部の上部に配置された状態であり、
前記足場体の前記第２の姿勢は、前記第２プレートが前記スリットに挿入されて、
前記第１プレートが前記かごドア桁部から前記昇降路の内側に突出した状態である、
請求項２に記載のかごドア装置の保守用足場。
【請求項４】
前記足場体は、長手方向と短手方向を有する平板状に形成され、
前記足場体の長手方向の一端側は、水平面上で回転可能に、前記かごドア桁部に取付けられており、
前記足場体の前記第１の姿勢は、長手方向の他端側が、前記かごドア桁部の上部に配置された状態であり、
前記足場体の前記第２の姿勢は、前記足場体が回転して、長手方向の他端側が、前記かごドア桁部から昇降路の内側に突出した状態である、
請求項１に記載のかごドア装置の保守用足場。
【発明の詳細な説明】
【技術分野】
【０００１】
本発明は、エレベータの保守点検時に保守作業員の足場となる、かごドア装置の保守用足場に関する。
【背景技術】
【０００２】
エレベータの乗場ドア装置のドア袋側に配置される各機器は、一般的に定期的な保守、点検が必要である。通常、当該機器の保守点検作業は、保守作業員がかご室の上部に載った状態で行う。しかしながら、貨物用エレベータなど、大容量のエレベータでは、カゴ室から乗場ドア装置のドア袋側までの距離が長いため、不自然な姿勢を強いられて、作業効率が悪かった。【０００３】
従来、エレベータの保守用足場としては、横断面が板体の継手相互を跨ぐ溝形をなし、上端部一側に継手相互の締結具の突出部に掛合する鉤部を有する基体と、基体の反鉤部側に設けた踏み板により足場を構成して、かご室の壁面に仮設するものが知られている（例えば、特許文献１参照）。
【先行技術文献】
【特許文献】
【０００４】
【特許文献１】特開平５−１９３８７５号公報
【発明の概要】
【発明が解決しようとする課題】
【０００５】
しかしながら、このエレベータの保守用足場は、かご室の壁と昇降路の壁面との間が狭くて脚立が入れられない場合に、かご室の壁面に取り付けられて、かご室の近辺の保守点検をおこなうものである。したがって、かご室から昇降路の壁面までの距離が長いエレベータ装置において、昇降路の壁面に設置された機器の保守点検をおこなう場合には不向きであった。【０００６】
この発明は、かかる問題点を解決することを課題とするものであり、昇降路の各階部分において、乗場ドアのドア袋側に配置される機器の保守点検作業を行う場合に、無理な姿勢で作業を強いられることなく作業をすることができ、作業性を向上させることのできる、エレベータの、かごドア装置の保守用足場を得るものである。
【課題を解決するための手段】
【０００７】
本発明に係るエレベータの保守用足場は、足場面を有する足場体と、足場体を支持するかごドア桁部とを有し、足場体は、非使用時には、上面視において、かごドア桁部から昇降路の中央側に突出しない第１の姿勢でかごドア桁部に支持されるとともに、使用時には、上面視において、かごドア桁部から昇降路の中央側に突出する第２の姿勢でかごドア桁部に支持され、足場体は、第２の姿勢でかごドア桁部に支持された場合に、足場面が、かごドア桁部の上面と平行になる。
【発明の効果】
【０００８】
本発明は、非使用時には、周囲の機器と干渉しない位置に格納され、使用時には、姿勢を変更するだけで、足場として使用可能な状態にすることのできる足場体を、かごドア装置に備えることにより、エレベータの通常運転時には、かごの昇降移動を邪魔することなく格納することができ、保守作業時には、姿勢を変更するだけで足場とすることのできる保守用足場を提供することができる。これにより、保守作業時に、脚立などの足場を昇降路内に持ち込むことなく、かご横またはかご横前方にある昇降路内の機器に保守作業員が容易にアクセスすることが可能となる。
【図面の簡単な説明】
【０００９】
【図１】本発明の実施の形態１におけるかごドア装置の保守用足場が設置されたエレベータ装置を示す模式図である。
【図２】実施の形態１によるかごドア装置の保守用足場の、かごドア桁部を示す部分斜視図である。
【図３】実施の形態１によるかごドア装置の保守用足場の第１変形例を示す図である。
【図４】実施の形態１によるかごドア装置の保守用足場の第２変形例を示す図である。
【図５】実施の形態１によるかごドア装置の保守用足場の第３変形例を示す図である。
【図６】実施の形態２によるかごドア装置の保守用足場の、かごドア桁部を示す部分斜視図である。
【発明を実施するための形態】
【００１０】
実施の形態１．
図１は、実施の形態１による  ６０が設置された、エレベータ装置１００を示す模式図である。図２は、かごドア装置の保守用足場の、かごドア桁部を示す部分斜視図である。
【００１１】
図１に示すように、エレベータ装置は、昇降路２０内において、図示しない主索の一端部にかご室１０が取り付けられ、他端部には釣合おもり４０が取付けられている。かご室１０の乗降口側の上部には、かご室１０のドアを開閉させるかごドア装置６０が取付けられている。
【００１２】
かご室１０は、昇降路２０に沿って上下方向に延びたガイドレール３０により、上下方向に案内される。釣合おもり４０は、上下方向に間隔を空けて昇降路２０の壁面２０ａに複数取付けられたおもり用ブラケット５０に上下方向に延びて取付けられたおもり用ガイドレール３１により、上下方向に案内される。かご室１０及び釣合おもり４０は、主索に巻き掛けされた図示しない駆動綱車の回転により、昇降路２０内を昇降する。
【００１３】
かごドア装置６０の水平方向に延びたかごドア桁部７０のうち、戸袋側の部位Ａには、保守用の足場体８０と、足場体８０を支持するための支持手段が備えられている。保守作業員は、足場体８０を足場として、図１に示す部位Ｐの保守点検を行う。
【００１４】
足場体８０は、図２の（ａ）〜（ｄ）に示すように、足場面Ｓを有する第１プレート８０Ａと、第１プレート８０Ａの一端側において、足場面Ｓの裏面側に、第１プレート８０Ａに対して垂直に延出する第２プレート８０Ｂとにより形成されている。
【００１５】
かごドア桁部７０は、断面がＬ字型の鋼材で形成されており、かごドア桁部７０を貫通するスリット７０Ａが形成されている。また、かごドア桁部７０の、かご室１０と反対側の面には、足場体８０と係合して足場体８０を支持する支持部材９０が配置されている。支持部材９０は、長手方向の断面がハット状に形成された鉄製の部材であり、溶接などの手段によって、かごドア桁部７０に固着されている。
【００１６】
エレベータ装置１００の通常運転時には、図２の（ａ）に示すように、足場体８０は、かごドア桁部７０から昇降路２０の内側に突出しない第１の姿勢で、かごドア桁部７０に格納されている。一方、エレベータを保守点検するときには、図２の（ｄ）に示すように、足場体８０は、昇降路２０を上方からみたときに、かごドア桁部７０から昇降路２０の内側に突出する第２の姿勢で、かごドア桁部７０に支持される。
【００１７】
ここで、足場体８０を第１の姿勢から第２の姿勢へ変更する手順について、図２の（ａ）〜（ｄ）を用いて説明する。
【００１８】
図２の（ａ）は、足場体８０の第１の姿勢を示している。第１の姿勢では、足場体８０の第１プレート８０Ａが、かごドア桁部７０のスリット７０Ａに挿入されて、支持部材９０に係合している。まず、この状態から、足場体８０を上方へ引き抜く。
【００１９】
次に、図２の（ｂ）に矢印で示すように、足場体８０の姿勢を９０°変更し、図２の（ｃ）に示すように、足場面Ｓが、かごドア桁部７０の上面と平行になるようにする。次に、足場体８０の第２プレート８０Ｂを、スリット７０Ａに挿入する。そして、図２の（ｄ）に示すように、足場体８０の第２プレート８０Ｂを、支持部材９０に係合させる。以上により、足場体８０が、第１の姿勢から第２の姿勢へと変更される。
【００２０】
このように、実施の形態１によるかごドア装置の保守用足場６０によれば、足場面Ｓを備えた第１プレート８０Ａと、第１プレート８０Ａに垂直な第２プレート８０Ｂからなる足場体８０を有している。また、かごドア装置６０は、足場体８０の第１プレート８０Ａ又は第２プレート８０Ｂが挿入されるスリット７０Ａと、挿入された第１プレート８０Ａ又は第２プレート８０Ｂと係合する支持部材９０とを備えたかごドア桁部７０を有している。そして、足場体８０は、エレベータ装置１００の通常運転時には、第１プレート８０Ａがスリット７０Ａに挿入されて、第２プレート８０Ｂがかごドア桁部７０の上部に配置された第１の姿勢とされる。そして、エレベータ装置１００を保守点検する場合には、足場体８０がかごドア桁部７０から引き抜かれ、第２プレート８０Ｂがスリット７０Ａに挿入されて、第１プレート８０Ａが、かごドア桁部７０から、昇降路２０の内側に突出した第２の姿勢とされる。
【００２１】
これにより、実施の形態１によるかごドア装置の保守用足場６０によれば、エレベータ装置１００の通常運転時には、足場体８０をかごドア桁部７０に格納しているので、かご室１０が昇降路２０を走行する際に干渉することがない。また、エレベータ装置１００の保守点検時には、脚立などの足場を昇降路２０の中に持ち込むことなく、かごドア桁部７０に格納された足場体８０により、かごドア桁部７０に足場を形成することができる。よって、かご室１０から、保守点検を行う部位が離れている場合であっても、保守作業員は、かごドア桁部７０に取付けられた足場体８０を足場として、無理な姿勢を強いられることなく、保守点検作業をおこなうことができ、作業性が向上する。
【００２２】
なお、実施の形態１では、かごドア桁部７０の表面にスリット７０Ａを形成していたが、図３の（ａ）〜（ｄ）に示す第１変形例のように、かごドア桁部７０に切り欠き部７０Ｂを形成し、切り欠き部７０Ｂの内側に、スリット７０Ａを形成してもよい。この場合、図３の（ｄ）に示すように、足場体８０が第２の姿勢のときに、足場面Ｓとかごドア桁部７０の上面とを同面とすることにより、かごドア桁部７０から足場面Ｓまで、段差のない足場とすることができ、さらに作業性が向上する。
【００２３】
また、実施の形態１では、かごドア桁部７０に固着した支持部材９０により、足場体８０を支持していたが、足場体８０の支持方法は、これに限るものではない。例えば図４の（ａ）〜（ｄ）に示す第２変形例の足場体８１のように、第１プレート８１Ａと、第２プレート８１Ｂの間に、第２プレート８１Ｂに平行な第３プレート８１Ｃを形成して、第２プレート８１Ｂと第３プレート８１Ｃにより、かごドア桁部７０を挟み込むようにして、足場体８１を支持してもよい。この場合、支持部材９０が不要となり、部品点数が削減できる。さらに、かごドア桁部７０のかご室１０と反対側に、あらかじめ支持部材９０を固着しておく必要がないので、既存のエレベータ装置のかごドア装置６０であっても、かごドア桁部７０にスリット７０Ａを形成するだけで、取付けることができる。
【００２４】
さらに、図５の（ａ）〜（ｄ）に示す第３変形例のように、かごドア桁部７０に、第１変形例と同様の切り欠き部７０Ｂを形成して、切り欠き部７０Ｂの内側に、スリット７０Ａを形成してもよい。この場合、図５の（ｄ）に示すように、足場体８１が第２の姿勢のときに、足場面Ｓとかごドア桁部７０の上面とを同面とすることにより、かごドア桁部７０から足場面Ｓまで、段差のない足場とすることができ、さらに作業性が向上する。
【００２５】
なお、実施の形態１の足場体８０、及び第２，第３変形例の足場体８１を示す図では、足場面Ｓの表面を平面としていたが、足場面Ｓの表面形状は、これに限るものではない。例えば、足場面Ｓの表面に、凹凸を形成してもよいし、ゴムなどにより滑り止め加工を施してもよい。これにより、保守作業員は、安定した姿勢で作業をすることができ、さらに作業性が向上する。
【００２６】
また、実施の形態１では、足場面Ｓの形状を長方形としていたが、足場面Ｓの形状は、これに限るものではない。例えば、足場面Ｓの角部には、面取りを施してもよいし、足場面Ｓの、かごドア桁部７０から突出する側の端部は、円弧状に形成してもよいし、足場面Ｓ全体を半円状に形成してもよい。これにより、保守作業員の靴が足場面Ｓの角部に引っ掛かることを抑制でき、さらに作業性が向上する。また、足場面Ｓの面積、形状については、設置するエレベータ装置の昇降路２０の仕様に応じて、適宜設定するとよい。
【００２７】
実施の形態２．
図６の（ａ）及び（ｂ）は、本発明の実施の形態２におけるかごドア装置の保守用足場６０のかごドア桁部７０を示す図である。実施の形態２によるかごドア装置の保守用足場６０は、実施の形態１とは、足場体８２の姿勢変更機構と、かごドア桁部７０の仕様が異なる。他の構成は、実施の形態１と同様である。
【００２８】
図６の（ａ）に示すように、実施の形態２の足場体８２は、長方形の板材の一端側が半円状に形成された形状を有している。そして、足場体８２の一端側は、ピン９１によってかごドア桁部７０に回転可能に固定されており、足場体８２の他端側は、ピン９１を中心として回転移動可能となっている。
【００２９】
図６の（ａ）は、足場体８２の第１の姿勢を示す図である。第１の姿勢では、足場体８２は、かごドア桁部７０の上に重なった状態で格納されており、かごドア桁部７０から昇降路２０の内側に突出していない。
【００３０】
図６の（ｂ）は、足場体８２の第２の姿勢を示す図である。図６の（ａ）に示す第１の姿勢から、足場体８２の他端側を、昇降路２０の内側に向けて約９０°回転させることにより、足場体８２は、図６の（ｂ）に示す第２の姿勢となる。かごドア桁部７０には、例えば鉄部材で形成されたストッパ９２が溶接されており、足場体８２の９０°を超える回転は、ストッパ９２によって抑制されている。
【００３１】
このように、実施の形態２によるかごドア装置の保守用足場６０によれば、足場体８２を、長手方向を有する板材で形成し、一端側を、ピン９１によって回転可能にかごドア桁部７０に固定している。そして、足場体８２を、かごドア桁部７０の上に重なった状態で格納する第１の姿勢と、足場体８２の他端側を、かごドア桁部７０から昇降路２０の内側に突出させる第２の姿勢に変更することにより、保守用の足場を形成することを可能にしている。これにより、実施の形態２によるかごドア装置の保守用足場６０は、かごドア桁部７０にスリット７０Ａ及び支持部材９０を形成することなく、かごドア桁部７０に足場体８２を取付けることができるので、既存のエレベータ装置のかごドア装置に対しても、後付けで足場体８２を取付けることができる。よって、既存のエレベータ装置における保守点検作業の作業性を向上させることができる。
【００３２】
なお、実施の形態２によるかごドア装置の保守用足場６０では、足場体８２の形状を、一端側が半円状に形成された、略長方形形状としていたが、足場体８２の形状は、これに限るものではない。例えば、両端を半円状に形成されていてもよいし、長方形の各角部を面取りした形状、又は多角形形状であってもよい。また、足場体８２の足場面Ｓには、凹凸を形成してもよいし、ゴムなどによる滑り止め加工を施してもよい。
【符号の説明】
【００３３】
１０  かご室、２０  昇降路、２０ａ  壁面、３０  ガイドレール、３１  おもり用ガイドレール、４０  釣合おもり、５０  おもり用ブラケット、６０  かごドア装置、７０  かごドア桁部、７０Ａ  スリット、７０Ｂ  切り欠き部、８０〜８２  足場体、８０Ａ，８１Ａ  第１プレート、８０Ｂ，８１Ｂ  第２プレート、８１Ｃ  第３プレート、９０  支持部材、９１  ピン、９２  ストッパ、１００  エレベータ装置、Ｓ  足場面。
【図１】
0006716035.tif 000002
【図２】
0006716035.tif 000003
【図３】
0006716035.tif 000004
【図４】
0006716035.tif 000005
【図５】
0006716035.tif 000006
【図６】
0006716035.tif 000007